(57)【要約】      （修正有）【課題】保管時の占有空間体積を減らし、収納時や運搬時の結束を簡単に出来、軽量化による省資源化と接続固定金物による多機能化を図った接続固定金物付二分割型ブックエンドを提供する。【解決手段】スチール製ブックエンドを底板１と垂直板２とに二分割させたものに、接続固定金物３を加え、簡単に組み立てられるものとした。さらに、垂直板２にペーパーファスナーを縦横自在に差し込める間隔で穴を設けたものとした。また、底板１を積み重ね接続出来るよう切り込みを設けたものとした。【選択図】図１
0003177163.tif 000002
【実用新案登録請求の範囲】
【請求項１】
二分割した底板１と垂直板２に加えて、接続固定金物３を有することを特徴とするスチール製ブックエンド。
【請求項２】
底板１の曲げた部分１１に設けた穴１２と、垂直板２に設けた穴２２を持ち、ペーパーファスナー４を挿入して、接続可能な位置にその穴を配置したことを特徴とする求項１に記載のスチール製のブックエンド。
【考案の詳細な説明】
【技術分野】
【０００１】  本考案の内容は、接続固定金物を付属させたスチール製ブックエンドの構造に関するものである。
【背景技術】
【０００２】  通常のスチール製ブックエンドは、垂直部分にその空間体積が占有されて、整理し難い欠点があり、更に運搬・保管に難点があった。【０００３】  二分割型スチール製ブックエンドで多機能なシステムブックエンドが開発されている。
【特許文献１】特許公開２００１−３４６６３８
【特許文献２】登録実用新案第３１７２１２５号
【特許文献３】登録実用新案第３１４１０５６号
【０００４】  従来の二分割型スチール製ブックエンドに加え、更に簡単な構造で、保管空間や収納体積を減らせるものが求められている。
【考案の開示】
【考案が解決しようとする課題】
【０００５】  従来の二分割型スチール製ブックエンドに接続固定金物を使用して、保管時に垂直板部分による占有空間体積を減らし、収納時や運搬時の結束を簡単に出来るものにさせること。【０００６】  従来のスチール製ブックエンドの垂直板や底板に穴や切り込みを設けることで、省資源化をはかり、多機能なものとすること。【０００７】  スチール製ブックエンドの底板と垂直板の、適切な位置に、適せつな穴を設けることで、ペーパーファスナーを利用して、接続固定や結束に役立てること。
【課題を解決しようとするための手段】
図面に従い説明する。
【０００８】  図１に示すように、底板１と垂直板２とに二分割したスチール製ブックエンドに接続固定金物３を使用したものとした。
【０００９】  図２にその分解を示す。垂直板２の内側に設けた広い切り込み２５から接続固定金物３を差し込み、引き下げてロックさせることで、通常のブックエンドの機能を果たすことが出来るものとした。
【００１０】  図３に、底板１の垂直折り曲げ部１１と垂直板２を接続固定金物３の３３の部分が確りと挟み込む様子を示した。
【００１１】  図４に示すように、接続固定金物３を垂直板２に差し込み、底板１に設けた開口１５に３４の部分を差し込んで、滑り止めとすれば、チラシ置き台などに利用できる。底板１の１４の部分は垂直板２の滑りを防止に役立つものとなる。
【００１２】  図４と同様に図５に、ペーパーファスナー４を穴２２に差し込んで、固定させた様子を示した。これもチラシ置き台などに利用出来る。
【００１３】  図６に、底板１を積み重ねて接続する場合の様子を示した。接続固定金物３を垂直板２の上部切り込み２４に差し込み、上部の底板１の１１の部分を差し込んで、底板１を固定させることが出来る。
【００１４】  図７に、接続固定金物３の詳細図を示した。
【００１５】  図８に接続固定金物３の断面図、側面図、底部詳細図を示した。
【００１６】  図９にペーパーファスナー４の平面図・断面図とスライド押えの詳細図面を示した。
【００１７】  図１０にブックエンド収納時の方法を示した。接続固定金物３を２５の部分から差し込みスライドさせ、底板１を３２の間隙にさしこむと良い。又ペーパーファスナー４を利用して、底板１と垂直板２を接続固定させることも出来る。
【考案の効果】
【００１８】  図１０に示す如く、従来のブックエンドに比較して、梱包体積が１／４から１／５になり、取り扱いや保管が非常に容易になる。
【００１９】  図１１面図に示すように、垂直板２に設けた穴は８ｃｍ間隔で配置されているので、パーパーファスナー４ａの穴４ｄも８ｃｍなので、自由な位置にバインド出来、梱包が容易になる。
【００２０】  図１１に示す如く、スチール製ブックエンドの板の厚みは従来のものと同じものが使用出来、穴や切り込みによりブックエンドの重量も従来のものより軽量となり、加工前板取図の垂直板２０から切り抜いた部分３０を接続固定金物３に利用出来るので、素材の省資源化に役立つものとなる。
【００２１】  図６に示す如く、３を２４に差し込み、上部から、底板１差し込込んで接続しものを、左右２組用意して、その上に板を載せれば、二段式の本立てや棚として使用出来るものとなる。
【００２２】  図１０に於いて、接続固定金物３の間隙３２を、底板１に厚みの２倍にすれば、二組のスチール製ブックエンドを確りと結束出来るものとなる。
【考案を実施するための最良の形態】
【００２３】  図２、図３の示す様に、底板１の１３の部分を、垂直板２の２１の部分の厚み分だけ、プレス加工して、持ち上げたものとすればよい。【００２４】  図１１に示す様に、加工前垂直板２０から３０の部分と同時に２６の切り込み部分を打ち抜けば、接続固定金物３の固定爪３４として利用できる。【００２５】  図２に示す如く、底板１、折り曲げ部１１に設けた穴１２と垂直板２の穴２２とが一致する様に二つの穴を配置すればよい。【００２６】  図２に示す様に、垂直板２の上部に切り込み２４を設けたものとした。【００２７】  図１、図２に示す様に、垂直板２に直径６ｍｍ程度の穴２２ａ、２２ｂ、２２ｃ、２２ｄ、２２ｅを、４ｃｍ間隔で設けることで、図９に示す安価なペーパーフスナー４ａの穴４ｄの間隔は８ｃｍであるので、垂直板２の自由な位置にペーパーファスナー４を差し込める。穴の数はブックエンドエンドの大きさにより変更する。
【実施例】
【００２８】  図１、図４、図５、図６、及び図１０にその実施例を示した。
【産業上の利用可能性】
【００２９】  特になし。
【図面の簡単な説明】
【００３０】
【図１】二分割型ブックエンドの全体図面
【図２】二分割型ブックエンドの分解図面
【図３】組み立て時のロック部分の詳細部図面
【図４】チラシ置き台として使用する場合の面図
【図５】ペーパーファスナーを利用して、チラシ置き台として使用する場合の面図
【図６】ブックエンドを２段に積み重ねで接続させる場合の面図
【図７】接続固定金物の詳細図
【図８】接続固定金物の断面図、側面図、底面図
【図９】ペーパーファスナーの平面図、断面図面及びスライド押え詳細図
【図１０】底板と垂直板を結束させた図面例
【図１１】加工前板取図面
【符号の説明】
【００３１】１．スチール製ブックエンドの底板
２．スチール製ブックエンドの垂直板
３．接続固定金具
４．スライド押さえ付ペーパーファスナー
４ａ．ペーパーフスナー部品
４ｂ．ペーパーフスナー受け止め部品
４ｃ．ペーパーフスナー部品スライド押さえ
４ｄ．ペーパーファスナーの穴
５．チラシ置き台板
１０．加工前底板
１１．底板を垂直に折り曲げた部分
１２．底板折り曲げ部分に設けた穴
１３．垂直板の厚み分をプレスして、持ち上げた底板の部分
１４．垂直板の厚み分をプレスして、持ち上げた底板の部分の曲り部分
１５．底板に設けた、接続固定金具のロック開口郡
１６．底板の垂直折り曲げ線
２０．加工前垂直板
２１．垂直板を曲げた部分
２２．垂直板に設けた接続保持させる為の穴
２２ａ．２２ｂ．２２ｃ．２２ｄ．２２ｅ．垂直板に設けた穴郡
２２ｇ．垂直板２の間部部分に設けた穴
２３．垂直板に設けた積み重ね接続固定用穴
２４．垂直板に設けた上部切り込み
２５．垂直板内側の広い切り込み部分
２６．垂直板内側の広い切り込み部分に設けた細い切り込み
２７．垂直板内側の狭い切り込み部分
３０．加工前接続固定金物
３２．接続固定金物隙間
３３．接続固定金物差し込み隙間
３４．接続固定金物底板固定爪
３５．接続固定金物圧接溶接部分
【図１】
0003177163.tif 000003
【図２】
0003177163.tif 000004
【図３】
0003177163.tif 000005
【図４】
0003177163.tif 000006
【図５】
0003177163.tif 000007
【図６】
0003177163.tif 000008
【図７】
0003177163.tif 000009
【図８】
0003177163.tif 000010
【図９】
0003177163.tif 000011
【図１０】
0003177163.tif 000012
【図１１】
0003177163.tif 000013
【手続補正書】
【提出日】平成24年5月7日(2012.5.7)
【手続補正１】
【補正対象書類名】明細書
【補正対象項目名】全文
【補正方法】変更
【補正の内容】
【考案の詳細な説明】
【技術分野】
【０００１】  本考案の内容は、接続固定金物を付属させた二分割型スチール製ブックエンドの構造に関するものである。
【背景技術】
【０００２】  通常のスチール製ブックエンドは、垂直部分にその空間体積が占有されて、整理し難い欠点があり、更に運搬・保管に難点があった。【０００３】二分割型スチール製ブックエンドで多機能なブックエンドが開発されている。【特許文献１】特許公開２００１−３４６６３８
【特許文献２】登録実用新案第３１７２１２５号
【特許文献３】登録実用新案第３１４１０５６号
【０００４】  従来の二分割型スチール製ブックエンドよりも更に簡単な構造で、保管空間や収納体積を減らせるものが求められている。
【考案の開示】
【考案が解決しようとする課題】
【０００５】従来のスチール製ブックエンドを垂直部分と底板部分を分離して二分割型とし、接続固定金物を使用して、保管時に垂直板部分による占有空間体積を減らし、収納時や運搬時の結束を簡単に出来るものにさせること。【０００６】スチール製ブックエンドの垂直板や底板に穴や切り込みを設けることで、軽量化による省資源化をはかり、接続固定金物を使用して、多機能なものとすること。【０００７】  スチール製ブックエンドの底板と垂直板の、適切な位置に、適せつな穴を設けることで、ペーパーファスナーを利用しても、接続固定や結束に役立つものとすること。
【課題を解決しようとするための手段】
図面に従い説明する。
【０００８】  図１に示すように、底板１、垂直板２と接続固定金物３の三つの部品で構成される二分割型スチール製ブックエンドとした。
【０００９】  図２にその分解を示す。垂直板２の内側に設けた広い切り込み２５から接続固定金物３を差し込み、引き下げてロックさせることで、通常のブックエンドの機能を果たすことが出来るものとした。
【００１０】  図３に、底板１の垂直折り曲げ部１１と垂直板２の垂直部が接続固定金物３の３３の部分で確りと挟み込まれている様子を示した。
【００１１】  図４に示すように、接続固定金物３を垂直板２の内側の広い部分２５から差し込み、底板１に設けた開口１５に接続固定金物３の３４の部分を差し込んで、滑り止めとすれば、チラシ置き台などに利用できる。底板１の１４の曲がり部分は垂直板２の滑りの防止に役立つものとなる。
【００１２】  図４と同様に図５に、ペーパーファスナー４を垂直板２の穴２２に差し込んで、固定させた様子を示した。垂直板２の倒れを防止に役立つので、これもチラシ置き台などに利用出来る。
【００１３】図６に、垂直板２の上部に別の底板１ａを積み重ねて接続する場合の様子を示した。接続固定金物３ａを垂直板２の上部切り込み２４に差し込み、上部の底板１ａの１１ａの部分を差し込んで、底板１ａを固定させることが出来る。図１２に図６で構成したものを二組組合わせ、上部に板５を載せて、上部を利用出来るものを示した。
【００１４】  図７に、接続固定金物３の詳細図を示した。
【００１５】  図８に接続固定金物３の断面図、側面図、底部詳細図を示した。
【００１６】  図９にペーパーファスナー４の平面図・断面図とスライド押えの詳細図面を示した。
【００１７】  図１０にブックエンド収納時の結束方法の一例を示した。接続固定金物３を２５の部分から差し込みスライドさせ、底板１を３２の間隙にさしこむと良い。又ペーパーファスナー４ａを穴１２と穴２２ｇを縫って差し込めば、底板１と垂直板２を接続固定させることも出来る。更にペーパーフスナー４ａを穴２２ｄと２２ｅに差し込めば、結束補助として役立つものとなる。図１１の如く、接続固定金物３とペーパーフスナー４ａを使用して、穴１７と穴２３を縫って差し込めば、結束簡単となり、更に収納体積を減らせることができる。
【考案の効果】
【００１８】  図１０と図１１に示す如く、従来のブックエンドに比較して大幅に垂直部分の高さが減るので、梱包体積が１／４から１／５になり、取り扱いや保管が非常に容易になる。
【００１９】図１２に示す如く、３ａを垂直板２の２４の切り込み部分に上部から差し込み、底板１ａ差し込込んで接続しものを、左右２組用意して、その上に板５を載せれば、上部を棚として使用出来るものとなる。
【００２０】図１３の加工前板取図面に示すように、垂直板２に設けた穴は４ｃｍ又は８ｃｍ間隔で配置されている（二つの穴２３に距離は８ｃｍ，穴２３−穴２２ａの距離は４ｃｍ、各穴間隔は４ｃｍと配置した）。パーパーファスナー４ａの穴４ｄ間隔も８ｃｍであるので、自由な位置に差し込むことができるので、結束や接続固定が容易になる。
【００２１】図１３の加工前板取図面に示す如く、スチール製ブックエンドの板の厚みは従来のものと同じものが使用出来、穴や切り込みによりブックエンドの重量も従来のものより軽量となり、加工前板取図面１３の３０の部分を切り抜いて、接続固定金物３として加工出来るので、素材の省資源化に役立つものとなる。
【００２２】図１０や図１１に示す如く、接続固定金物３の間隙３２に、底板１を差し込めば、ブックエンドを確りと結束出来るものとなる。
【考案を実施するための最良の形態】
【００２３】  図２、図３の示す様に、底板１の１３の部分を、垂直板２の２１の部分の厚み分だけ、プレス加工して、持ち上げたものとすればよい。【００２４】図１３の加工前板取図面に示す如く、加工前垂直板２０から３０の部分と同時に２６の切り込み部分を打ち抜けば、固定爪３４を持った接続固定金物３のとして利用できる。【００２５】  図２に示す如く、底板１の折り曲げ部１１に設けた穴１２と垂直板２の穴２２ｇとが一致する様に穴を配置すればよい。【００２６】  図２に示す様に、垂直板２の上部に切り込み部分２４を設けたものとした。【００２７】  図１、図２に示す様に、垂直板２に直径６ｍｍ程度の穴２２ａ、２２ｂ、２２ｃ、２２ｄ、２２ｅを、４ｃｍ間隔で設けることで、図９に示す安価なペーパーフスナー４ａの穴４ｄの間隔は８ｃｍであるので、垂直板２の自由な位置にペーパーファスナー４を差し込める様にすればよい。穴の数はブックエンドエンドの大きさにより変更する。
【実施例】
【００２８】  図１、図４、図５、図６、図１０、図１１及び図１２にその実施例を示した。
【産業上の利用可能性】
【００２９】  特になし。
【図面の簡単な説明】
【００３０】
【図１】二分割型ブックエンドの全体図面
【図２】二分割型ブックエンドの分解図面
【図３】組み立て時のロック部分の詳細部図面
【図４】接続固定金物を利用して、チラシ置き台として使用する場合の面図
【図５】ペーパーファスナーを利用して、チラシ置き台として使用する場合の面図
【図６】ブックエンドを２段に積み重ねで接続させる場合の面図
【図７】接続固定金物の詳細図
【図８】接続固定金物の断面図、側面図、底面図
【図９】ペーパーファスナーの平面図、断面図面及びスライド押え詳細図
【図１０】底板と垂直板を結束させた図面例
【図１１】底板と垂直板を結束させた図面例
【図１２】ブックエンドを２段に積み重ねで接続し、上部棚とした事例図面
【図１３】加工前板取図面
【符号の説明】
【００３１】１．スチール製ブックエンドの底板  １ａ．スチール製ブックエンドの底板２．スチール製ブックエンドの垂直板３．接続固定金具  ３ａ．接続固定金具４．スライド押さえ付ペーパーファスナー    ４ａ．ペーパーフスナー部品    ４ｂ．ペーパーフスナー受け止め部品    ４ｃ．ペーパーフスナー部品スライド押さえ    ４ｄ．ペーパーファスナーの穴５．チラシ置き台板１０．加工前底板１１．底板を垂直に折り曲げた部分１２．底板折り曲げ部分に設けた穴１３．垂直板の厚み分をプレスして、持ち上げた底板の部分１４．垂直板の厚み分をプレスして、持ち上げた底板の部分の曲り部分１５．底板に設けた、接続固定金具のロック開口郡１６．底板の垂直折り曲げ線１７．底板に設けた穴２０．加工前垂直板２１．垂直板を曲げた部分２２．垂直板に設けた接続保持させる為の穴    ２２ａ．２２ｂ．２２ｃ．２２ｄ．２２ｅ．垂直板に設けた穴郡２２ｇ．垂直板２の曲げた部分に設けた穴２３．垂直板に設けた穴２４．垂直板に設けた上部切り込み２５．垂直板内側の広い切り込み部分２６．垂直板内側の広い切り込み部分に設けた狭い切り込み２７．垂直板内側の狭い切り込み部分３０．加工前接続固定金物３２．接続固定金物３の隙間３３．接続固定金物３の差し込み隙間３４．接続固定金物３の底板固定用爪３５．接続固定金物圧接溶接部分
【手続補正２】
【補正対象書類名】実用新案登録請求の範囲
【補正対象項目名】全文
【補正方法】変更
【補正の内容】
【実用新案登録請求の範囲】
【請求項１】
スチール製ブックエンドに於いて、底板１と垂直板２とに二分割させた構造とし、底板１の１１の部分を垂直に折り曲げ、垂直板２の２１の部分を水平に曲げ、底板１の曲げた部分１１に垂直板２を挟み込むことができる構造を備えた接続固定金物３を付帯させたこと特徴とする二分割型スチール製ブックエンド。
【請求項２】
底板１の曲げの部分１１に設けた穴１２、垂直板２に設けた穴２２とをペーパーフスナーで縫い合わせることが出来る位置に穴を配置したことを特徴とする請求項１に記載の二分割型スチール製ブックエンド。
【手続補正３】
【補正対象書類名】図面
【補正対象項目名】全図
【補正方法】変更
【補正の内容】
【図１】
0003177163.tif 000014
【図２】
0003177163.tif 000015
【図３】
0003177163.tif 000016
【図４】
0003177163.tif 000017
【図５】
0003177163.tif 000018
【図６】
0003177163.tif 000019
【図７】
0003177163.tif 000020
【図８】
0003177163.tif 000021
【図９】
0003177163.tif 000022
【図１０】
0003177163.tif 000023
【図１１】
0003177163.tif 000024
【図１２】
0003177163.tif 000025
【図１３】
0003177163.tif 000026